(57)【要約】  【課題】  貯蔵容積を拡大するとともに脱臭効果や除菌効果の高い冷蔵庫を提供する。  【解決手段】  冷蔵室１１の背後に冷気通路２８が配され、冷気通路２８内に活性炭を含むシート状の空気清浄シート４８、４９が対向して設けられる。空気清浄シート４８の活性炭はアンモニアやトリメチルアミン等の塩基性ガスを吸着する特性が高く、空気清浄シート４９の活性炭は硫化水素や二酸化硫黄等の硫黄系ガスを吸着する特性が高い。冷気通路２８を流通する冷気に含まれる塩基性ガスは空気清浄シート４８により吸着して除去され、硫黄系ガスは空気清浄シート４９により吸着して除去される。これにより、複数の種類の有臭ガスを除去して脱臭効果が向上される。【選択図】      図４
2005221161.tif 000002
【特許請求の範囲】
【請求項１】
貯蔵物を収納する貯蔵室と、前記貯蔵室に送出する冷気を生成する冷却器と、前記冷却器を配して該冷気を前記貯蔵室に導く冷気通路と、前記冷気通路に設置されるとともに異なる脱臭特性または異なる殺菌特性を有して前記冷気通路を流通する空気を清浄化する第１、第２空気清浄部材とを備えたことを特徴とする冷蔵庫。
【請求項２】
第１、第２空気清浄部材が通気性を有することを特徴とする請求項１に記載の冷蔵庫。
【請求項３】
第１、第２空気清浄部材はシート状に形成されるとともに前記冷気通路の壁面に沿って設置されることを特徴とする請求項１または請求項２に記載の冷蔵庫。
【請求項４】
第１空気清浄部材を前記冷気通路の一の壁面に設置するとともに、第２空気清浄部材を一の壁面に対向する前記冷気通路の他の壁面に設置したことを特徴とする請求項３に記載の冷蔵庫。
【請求項５】
第１、第２空気清浄部材を前記冷気通路の一の壁面に所定間隔で交互に設置したことを特徴とする請求項３に記載の冷蔵庫。
【請求項６】
前記冷気通路に臨む第１、第２空気清浄部材の面積を異なる面積にしたことを特徴とする請求項３〜請求項５のいずれかに記載の冷蔵庫。
【請求項７】
第１空気清浄部材は第２空気清浄部材よりも塩基性ガスを吸着する特性が高く、第２空気清浄部材は第１空気清浄部材よりも硫黄系ガスを吸着する特性が高いことを特徴とする請求項１〜請求項６のいずれかに記載の冷蔵庫。
【請求項８】
第１、第２空気清浄部材は活性炭を有することを特徴とする請求項７に記載の冷蔵庫。
【請求項９】
第１、第２空気清浄部材は有臭ガスを分解する人工酵素を有することを特徴とする請求項８に記載の冷蔵庫。
【請求項１０】
第１空気清浄部材は第２空気清浄部材よりもカビ菌を殺菌する特性が高く、第２空気清浄部材は第１空気清浄部材よりも病原菌を殺菌する特性が高いことを特徴とする請求項１〜請求項６のいずれかに記載の冷蔵庫。
【請求項１１】
第１空気清浄部材は有機化合物を有し、第２空気清浄部材は銀化合物を有することを特徴とする請求項１０に記載の冷蔵庫。
【発明の詳細な説明】
【技術分野】
【０００１】
本発明は、貯蔵室内の貯蔵物を冷蔵保存する冷蔵庫に関し、特に貯蔵室内の冷気を脱臭または殺菌する冷蔵庫に関する。
【背景技術】
【０００２】
特許文献１には貯蔵室内の冷気を脱臭及び殺菌する冷蔵庫が開示されている。この冷蔵庫は貯蔵室内に脱臭除菌フィルタが設けられる。脱臭除菌フィルタは有臭ガスを吸着して脱臭作用を有する活性炭等の脱臭剤と殺菌作用を有する銀化合物等との殺菌剤を通気性素材で被覆してシート状に成形されている。脱臭除菌フィルタを貯蔵室の壁面や棚に取り付け、ファンの駆動によって貯蔵室内を循環する冷気の一部が脱臭除菌フィルタを通過することにより貯蔵室内の空気の脱臭及び除菌が行われるようになっている。
【特許文献１】特開２００２−１４７９３６号公報（第３頁−第４頁、第１図）
【発明の開示】
【発明が解決しようとする課題】
【０００３】
しかしながら、上記従来の冷蔵庫によると、脱臭除菌フィルタが貯蔵室内に設けられるため貯蔵室の貯蔵容積が減少する。更に、貯蔵室内の空気には塩基性ガスや硫黄系ガス等の複数の種類の有臭ガスが含まれる。また、貯蔵室内の空気にはカビ菌や病原菌等の複数の種類の浮遊菌が含まれる。このため、複数の有臭ガスや複数の浮遊菌に対して高い脱臭効果や除菌効果を得ることが困難な問題があった。
【０００４】
本発明は、貯蔵容積を拡大するとともに脱臭効果や除菌効果の高い冷蔵庫を提供することを目的とする。
【課題を解決するための手段】
【０００５】
上記目的を達成するために本発明は、貯蔵物を収納する貯蔵室と、前記貯蔵室に送出する冷気を生成する冷却器と、前記冷却器を配して該冷気を前記貯蔵室に導く冷気通路と、前記冷気通路に設置されるとともに異なる脱臭特性または異なる殺菌特性を有して前記冷気通路を流通する空気を清浄化する第１、第２空気清浄部材とを備えたことを特徴としている。
【０００６】
この構成によると、冷却器により生成された冷気は冷気通路を通って貯蔵室に吐出され、貯蔵室内が冷却される。冷気通路には第１、第２空気清浄部材が配され、冷気が第１、第２空気清浄部材と接触することにより複数の種類の有臭ガスや複数の浮遊菌が除去される。第１、第２空気清浄部材が通気性を有するとより望ましい。
【０００７】
また本発明は、上記構成の冷蔵庫において、第１、第２空気清浄部材はシート状に形成されるとともに前記冷気通路の壁面に沿って設置されることを特徴としている。この構成によると、第１、第２空気清浄部材は冷気通路の内部に臨み、冷気通路を流通する冷気に曝される。
【０００８】
また本発明は、上記構成の冷蔵庫において、第１空気清浄部材を前記冷気通路の一の壁面に設置するとともに、第２空気清浄部材を一の壁面に対向する前記冷気通路の他の壁面に設置したことを特徴としている。この構成によると、第１空気清浄部材と第２空気清浄部材とが対向配置される。
【０００９】
また本発明は、上記構成の冷蔵庫において、第１、第２空気清浄部材を前記冷気通路の一の壁面に所定間隔で交互に設置したことを特徴としている。この構成によると、冷気通路の同じ壁面に第１、第２空気清浄部材が交互に配される。
【００１０】
また本発明は、上記構成の冷蔵庫において、前記冷気通路に臨む第１、第２空気清浄部材の面積を異なる面積にしたことを特徴としている。この構成によると、冷気に曝される第１、第２空気清浄部材の面積が異なる。
【００１１】
また本発明は、上記構成の冷蔵庫において、第１空気清浄部材は第２空気清浄部材よりも塩基性ガスを吸着する特性が高く、第２空気清浄部材は第１空気清浄部材よりも硫黄系ガスを吸着する特性が高いことを特徴としている。この構成によると、第１空気清浄部材により主にアンモニアやトリメチルアミン等の塩基性ガスが吸着され、第２空気清浄部材により主に硫化水素や二酸化硫黄等の硫黄系ガスが吸着される。第１、第２空気清浄部材の脱臭剤として脱臭特性の異なる活性炭等を用いることができる。活性炭等により吸着された有臭ガスを分解する人工酵素を含むとより望ましい。
【００１２】
また本発明は、上記構成の冷蔵庫において、第１空気清浄部材は第２空気清浄部材よりもカビ菌を殺菌する特性が高く、第２空気清浄部材は第１空気清浄部材よりも病原菌を殺菌する特性が高いことを特徴としている。この構成によると、第１空気清浄部材により主にカビ菌が殺菌され、第２空気清浄部材により主に細菌やウイルス等の病原菌が殺菌される。第１空気清浄部材の殺菌剤として複素環化合物やスルフォン化合物等の有機化合物を用いることができる。第２空気清浄部材の殺菌剤として銀化合物を用いることができる。
【発明の効果】
【００１３】
本発明によると、異なる脱臭特性または異なる殺菌特性を有する第１、第２空気清浄部材を冷気通路に設けたので、貯蔵室の容積を増加できるとともに複数の有臭ガスの除去による脱臭効果の向上や複数の浮遊菌の殺菌による除菌効果の向上を図ることができる。
【００１４】
また本発明によると、第１、第２空気清浄部材が通気性を有するので、冷気通路の流通面積を減少させることなく貯蔵室の容積を増加できる。
【００１５】
また本発明によると、第１、第２空気清浄部材をシート状に形成して冷気通路の壁面に沿って設置したので、冷気通路の通気抵抗の増加を防止することができるとともに、曲面へ容易に第１、第２空気清浄部材を取り付けることができる。
【００１６】
また本発明によると、第１空気清浄部材と第２空気清浄部材とを冷気通路の壁面に対向配置したので、第１、第２空気清浄部材を容易に取り付けることができる。
【００１７】
また本発明によると、第１、第２空気清浄部材を冷気通路の一の壁面に所定間隔で交互に設置したので、冷気通路の壁面に沿って流通する冷気が第１、第２空気清浄部材と接触して均一に脱臭または殺菌され、脱臭効果または除菌効果を向上することができる。
【００１８】
また本発明によると、冷気通路に臨む第１、第２空気清浄部材の面積を異なる面積にしたので、貯蔵室内の空気に含まれる複数の有臭ガスの量に応じて脱臭力を可変することや複数の浮遊菌の量に応じて殺菌力を可変することができ、最適な脱臭または除菌を行うことができる。
【００１９】
また本発明によると、第１空気清浄部材は第２空気清浄部材よりも塩基性ガスを吸着する特性が高く、第２空気清浄部材は第１空気清浄部材よりも硫黄系ガスを吸着する特性が高いので、硫化水素や二酸化硫黄等の硫黄系ガスと、アンモニアやトリメチルアミン等の塩基性ガスとを除去して効果的に脱臭することができる。
【００２０】
また本発明によると、脱臭特性の異なる活性炭によって容易に第１、第２空気清浄部材を形成することができる。
【００２１】
また本発明によると、第１、第２空気清浄部材は活性炭により吸着した有臭ガスを分解する人工酵素を有するので、吸着された有臭ガスを人工酵素により分解して活性炭の吸着力が半永久的に飽和しない。従って、交換が困難な冷気通路内に設置された第１、第２空気清浄部材の交換を不要にすることができる。
【００２２】
また本発明によると、第１空気清浄部材は第２空気清浄部材よりもカビ菌を殺菌する特性が高く、第２空気清浄部材は第１空気清浄部材よりも病原菌を殺菌する特性が高いので、カビ菌と細菌やウイルス等の病原菌とを効果的に除菌することができる。
【００２３】
また本発明によると、第１空気清浄部材が複素環化合物やスルフォン化合物等の有機化合物から成り、第２空気清浄部材が銀化合物から成るので、殺菌特性の異なる第１、第２空気清浄部材を容易に形成することができる。
【発明を実施するための最良の形態】
【００２４】
以下に本発明の実施形態を図面を参照して説明する。図１は第１実施形態の冷蔵庫を示す側面断面図である。冷蔵庫１は外部を覆う外箱２ａの内側に内箱２ｂが配され、外箱２ａと内箱２ｂとの隙間には発泡ポリウレタン等の断熱材２ｃが充填されている。冷蔵庫１の内部は上から冷蔵室１１、野菜室１２、冷凍室１３の順に区分けされている。
【００２５】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００２６】
冷蔵室１１の下部には仕切板４６で仕切られた隔離室から成る氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面がスライド式の断熱扉４、５、６により夫々開閉可能になっており、収納容器５４、５５、５６を引出せるようになっている。
【００２７】
冷凍室１３の後部には圧縮機２０が配されている。圧縮機２０には吐出パイプ２０ａを介して凝縮器（不図示）が連結されており、吸込パイプ２０ｂを介して冷却器２１、２５が直列に連結されている。凝縮器と冷却器２５は第１キャピラリーチューブ（不図示）を介して連結されている。冷却器２１、２５の間には第２キャピラリーチューブ（不図示）が配されている。
【００２８】
これにより冷凍サイクルが構成され、冷凍サイクル運転が行われると冷却器２１、２５が冷却されるようになっている。冷却器２１、２５の下方には冷却器２１、２５の除霜を行う除霜ヒータ６１、６２が設けられている。６３、６４はドレン受け部材である。
【００２９】
また、凝縮器と第１キャピラリーチューブとの間には切換手段が設けられ、切換手段と冷却器２１とが第３キャピラリーチューブ（不図示）を介して連結されている。そして、切換手段を切り替えることにより、冷却器２１のみの冷却が可能になっている。
【００３０】
冷気通路２７の上部は氷温室１４の背面板３５に固着される断熱部材３６と内箱２ｂとにより形成されている。断熱部材３６には開口部３６ａが設けられている。冷蔵室１１の正面図を図２に示すと、背面板３５には開口部３６ａと同じ位置に開口部３５ａが設けられている。開口部３５ａ、３６ａにより氷温室１４は冷気通路２７と連通している。
【００３１】
冷気通路２７の上端には送風機２９が配されている。送風機２９の前面には冷蔵室１１に臨む送風機カバー４１が取り付けられている。送風機カバー４１には複数の開口部４１ａが形成されている。送風機２９の上方には冷気通路２８が設けられている。
【００３２】
送風機２９部分の詳細図を図３に示すと、冷気通路２８は送風機２９により開口部４１ａを介して冷蔵室１１から取入れられる空気と、送風機２６により冷気通路２７を流通する冷気とが混流するようになっている。
【００３３】
冷蔵室１１の背面部分の冷気通路２８は冷蔵室１１の内壁を形成する熱伝導部材４２と内箱２ｂとにより形成されている。熱伝導部材４２は熱伝導性を有する材料から成り、図５に示すように両端を折曲し、水平方向に延びた複数の段部４２ｊが形成されている。熱伝導部材４２に生じる結露を段部４２ｊで保持して冷蔵室１１内を加湿できるようになっている。熱伝導部材４２として加工性が良く防錆効果の高いアルミニウム合金やステンレス等を用いることができる。
【００３４】
熱伝導部材４２は熱伝導性を有するので蓄冷及び冷熱の放出が可能になっている。尚、熱伝導部材４２の厚みが厚い場合は蓄冷能力が上がり、強度も増加する。厚みが薄い場合は冷熱の放出効率が上がり、軽量化にも有利である。このため、目的に応じて薄板材や厚板材を適時適所に選び設ければよい。
【００３５】
冷蔵室１１の天井部分の冷気通路２８は樹脂成形品から成る上面板４３と内箱２ｂより形成されている。熱伝導部材４２及び上面板４３には開口部４２ａ、４３ａ（図２参照）が設けられている。また、冷蔵室１１の天面中央部には透明な照明カバー５３で覆われてる照明灯５１が設けられている。
【００３６】
図４は冷蔵室１１の上面断面図を示している。熱伝導部材４２は上下に延びて内箱２ｂに形成される突起部２８ａにより背面を支持されている。これにより、前面からの押圧力に対する熱伝導部材４２の屈曲を防止するとともに、冷気通路２８内を通る冷気を整流して消音と送風効率の向上が図られている。
【００３７】
冷気通路２８の壁面には空気清浄シート４８、４９（第１、第２空気清浄部材）が対向して設けられている。空気清浄シート４８、４９は活性炭を含むシート状の活性炭混抄紙に人工酵素が塗布されている。これにより、空気清浄シート４８、４９は通気性を有し、冷気通路２８の流通面積を減少させないようになっている。
【００３８】
図６は冷気通路２８内を示す背面斜視図である。空気清浄シート４８は熱伝導部材４２の背面に貼着され、空気清浄シート４９は内箱２ｂ（図４参照）の前面に貼着されている。これにより、冷気通路２８が空気清浄シート４８、４９で塞がれず、冷気通路２８の通気抵抗の増加を抑制することができる。また、冷蔵庫１の組立時に空気清浄シート４８、４９を容易に取り付けることができる。
【００３９】
空気清浄シート４８、４９に含まれる活性炭は異なる脱臭特性を有している。空気清浄シート４８の活性炭は、アンモニアやトリメチルアミン等の塩基性ガスを吸着する特性が空気清浄シート４９よりも高くなっている。空気清浄シート４９の活性炭は、硫化水素や二酸化硫黄等の硫黄系ガスを吸着する特性が空気清浄シート４９よりも高くなっている。
【００４０】
従って、冷気通路２８を流通する冷気に含まれる塩基性ガス及び硫黄系ガスは空気清浄シート４８、４９との接触により吸着され、冷気が脱臭される。脱臭特性の異なる活性炭は市販されており、容易に空気清浄シート４８、４９を構成することができる。
【００４１】
また、活性炭混抄紙から成る空気清浄シート４８、４９に塗布される人工酵素は、それぞれ活性炭により吸着された塩基性ガス及び硫黄系ガスを分解・消臭する特性を有している。これにより、吸着された有臭ガスを人工酵素により分解して活性炭の吸着力が半永久的に飽和しない。従って、交換が困難な冷気通路２８内に設置された空気清浄シート４８、４９の交換を不要にすることができる。
【００４２】
上記構成の冷蔵庫１において、送風機２２が駆動されると、冷凍室１３内の空気は流出口１３ｂから冷気通路２３に導かれる。該空気は冷却器２１と熱交換して冷却され、流入口１３ａから冷凍室１３に流入する。これにより冷凍室１３内が冷却される。
【００４３】
送風機２６、送風機２９が駆動されると、野菜室１２内の空気は流出口１２ｂから冷気通路２７に導かれる。該空気は冷却器２５と熱交換して冷却され、開口部４１ａから冷気通路２８に導かれる冷蔵室１１内の空気と混流して冷気通路２８内を流通する。冷気通路２８内を流通する空気に含まれた塩基性ガス及び硫黄系ガス等の有臭ガスは空気清浄シート４８、４９との接触によって吸着される。そして、有臭ガスを除去された空気が開口部４２ａ、４３ａから冷蔵室１１内に流入する。
【００４４】
また、冷気通路２８内を流通する冷気による冷熱は熱伝導部材４２に伝えられる。この時、空気清浄シート４８が通気性を有するため、冷気が熱伝導部材４２の背面に容易に接触して冷熱を伝えることができる。そして、熱伝導部材４２から冷蔵室１１内に冷熱として放出される。これにより、熱伝導部材４２から放出される冷熱と開口部４２ａ、４３ａから吐出される冷気とで冷蔵室１１内が効率良く均一に冷却される。
【００４５】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、流出口１２ｂから冷却器２５の下部に導かれて冷気が循環する。
【００４６】
温度センサー（不図示）の検知結果に基づいて圧縮機２０及び送風機２６が運転及び停止され、冷蔵室１１及び野菜室１２の温度を例えば３℃に維持するようになっている。尚、冷気通路２７内を流通する一部の冷気は開口部３５ａ、３６ａから氷温室１４に流入する。これにより氷温室１４内をより低温に冷却できるようになっている。
【００４７】
本実施形態によると、空気清浄シート４８、４９を冷気通路２８内に設けたので、冷蔵室１１の容積を広く確保して脱臭を行うことができる。また、空気清浄シート４８、４９が異なる脱臭特性を有するので、塩基性ガス及び硫黄系ガスを効果的に除去して脱臭効果を向上することができる。尚、活性炭に替えて他の脱臭剤を用いてもよい。また、空気清浄シート４８、４９に加えて、アセトアルデヒド等の他の有臭ガスを吸着する特性の高い脱臭剤を含む空気清浄シートを冷気通路２８に設けてもよい。
【００４８】
尚、対向配置される空気清浄シート４８、４９の設置面積を同じにしているが、冷気通路２８を流通する有臭ガスの量に応じて空気清浄シート４８、４９を異なる設置面積にするとより効果的に脱臭することができる。例えば、冷蔵室１１や野菜室１２に通常収納される食品によって塩基性ガスが多く排出される場合は、空気清浄シート４８の設置面積を空気清浄シート４９の設置面積よりも大きくするとよい。
【００４９】
次に、図７は第２実施形態の冷蔵庫１の冷気通路２８内を示す斜視図である。説明の便宜上、前述の図１〜図６に示す第１実施形態と同一の部分は同一の符号を付している。本実施形態は、冷気通路２８を形成する熱伝導部材４２の背面と内箱２ｂの前面に所定間隔で空気清浄シート４８、４９を交互に設けている。その他の部分は第１実施形態と同一である。
【００５０】
本実施形態によると、第１実施形態と同様に冷蔵室１１の容積を広く確保できるとともに塩基性ガス及び硫黄系ガスを効果的に除去して脱臭効果を向上することができる。更に、冷気通路２８の壁面に沿って流通する冷気を空気清浄シート４８、４９に接触させることができる。従って、均一に脱臭してより脱臭効果を向上することができる。尚、上記と同様に、空気清浄シート４８、４９を異なる設置面積にしてもよい。
【００５１】
次に、第３実施形態について説明する。本実施形態の空気清浄シート４８、４９は脱臭特性に替えて浮遊菌を殺菌する殺菌特性を有している。その他の部分は第１実施形態と同一である。空気清浄シート４８、４９は殺菌剤を通気性の素材で被覆したシート状に形成されている。
【００５２】
空気清浄シート４８、４９に含まれる殺菌剤は異なる脱臭特性を有している。空気清浄シート４８の殺菌剤は、カビ菌を殺菌する特性が空気清浄シート４９よりも高くなっている。空気清浄シート４９の殺菌剤は、細菌やウイルス等の病原菌を殺菌する特性が空気清浄シート４９よりも高くなっている。
【００５３】
従って、冷気通路２８を流通する冷気に含まれるカビ菌や病原菌は空気清浄シート４８、４９との接触により殺菌され、冷気が除菌される。カビ菌を殺菌する効果の高い殺菌剤として、複素環化合物やスルフォン化合物等の有機化合物を用いることができる。病原菌を殺菌する効果の高い殺菌剤として、銀化合物を用いることができる。
【００５４】
尚、カビ菌や病原菌以外の浮遊菌を殺菌する特性の高い空気清浄シートを冷気通路２８に設けてもよい。また、第２実施形態と同様に、殺菌特性の異なる空気清浄シート４８、４９を冷気通路２８の壁面に所定間隔で交互に設けてもよい。また、空気清浄シート４８、４９を異なる設置面積にしてもよい。
【００５５】
第１〜第３実施形態の冷蔵庫１において、冷蔵室１１及び野菜室を冷却する冷却器２５と、冷凍室１３を冷却する冷却器２１とを有しているが、冷蔵室１１、野菜室１２、冷凍室１３を１つの冷却器により冷却する冷蔵庫においても同様の構成により同様の効果を得ることができる。
【図面の簡単な説明】
【００５６】
【図１】本発明の第１実施形態の冷蔵庫の側面断面図
【図２】本発明の第１実施形態の冷蔵庫の冷蔵室の正面図
【図３】本発明の第１実施形態の冷蔵庫の要部詳細図
【図４】本発明の第１実施形態の冷蔵庫の上面断面図
【図５】本発明の第１実施形態の冷蔵庫の熱伝導部材を示す斜視図
【図６】本発明の第１実施形態の冷蔵庫の冷気通路内を示す背面斜視図
【図７】本発明の第２実施形態の冷蔵庫の冷気通路内を示す背面斜視図
【符号の説明】
【００５７】
１    冷蔵庫
２ａ  外箱
２ｂ  内箱
２ｃ  断熱材
３、４、５、６    断熱扉
１１  冷蔵室
１２  野菜室
１３  冷凍室
１４  氷温室
１６、１７、１８  仕切枠
１９、３１、３２  仕切板
２０  圧縮機
２１、２５  冷却器
２２、２６、２９  送風機
２３、２７、２８、３０  冷気通路
２８ａ  突起部
３２ａ  貫通孔
３５  背面板
３６  断熱材
３６ａ、４２ａ、４３ａ  開口部
４２  熱伝導部材
４３  上面板
４８、４９  空気清浄シート
５１  照明灯
５３  照明カバー
５４、５５、５６  収納容器
６１、６２  除霜ヒータ
６３、６４  ドレン受け部材
６５  ダンパー
【図１】
2005221161.tif 000003
【図２】
2005221161.tif 000004
【図３】
2005221161.tif 000005
【図４】
2005221161.tif 000006
【図５】
2005221161.tif 000007
【図６】
2005221161.tif 000008
【図７】
2005221161.tif 000009